(57)【要約】【課題】外カバーと内カバーとを容易に組み付けることが可能である上、制御素子の不正取り替え、不正改造を効果的に防止することが可能な遊技機用制御装置を提供する。【解決手段】制御装置１は、制御装置１は、ＲＯＭ５やＣＰＵ等の種々の制御素子を搭載した基板２、その基板２を覆うための透明な合成樹脂製の外カバー３および内カバー４等によって構成されている。内カバー４には、先端を鉤状に形成した係合体２８が切断可能に設けられており、外カバー３には、係合体２８を覆うための被覆部１７が設けられている。さらに、被覆部１７の内部には、被係合体１８，１８が設けられている。そして、内カバー４の係合体２８が外カバー３の被覆部１７内で被係合体１８，１８と係合した状態で、外カバー３と内カバー４とが組み付けられている。【選択図】図１
2009201693.tif 000002
【特許請求の範囲】
【請求項１】
合成樹脂製の外カバーおよび内カバーによって、制御素子を設置した基板が覆われた遊技機用制御装置であって、
外カバーあるいは内カバーのいずれか片方に、先端を鉤状に形成した係合体が切断可能に設けられているとともに、
他方に、前記係合体を覆う被覆部が設けられており、その被覆部の内部に前記係合体と係合する被係合体が設けられていることを特徴とする遊技機用制御装置。
【請求項２】
係合体が、二個一対の棒状突起部の各先端に鉤状部を互いに外向きになるように設けた形状を有していることを特徴とする請求項１に記載の遊技機用制御装置。
【請求項３】
係合体が、各棒状突起部の基端同士に補強体を懸架した形状を有していることを特徴とする請求項２に記載の遊技機用制御装置。
【請求項４】
前記係合体が、前記被係合体に係合された状態を保ちながら、前記被覆部から露出させた基端の長さを所定量だけ変化させることができるようになっていることを特徴とする請求項１〜３のいずれかに記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた外カバーと、その外カバーと合致する内カバーとによって、制御素子を設置した基板を覆うとともに、左右のネジ保持部の内の一つずつを、ワンウェイタイプのかしめネジ（基端部の外面に対して垂直な面と基端部の外面に対して緩やかに傾斜した面とを有するネジ突起を基端部に設けられており、一方向にしか回転させることができないもの）を用いて、ドライバ等では外れないように内カバーに螺着することにより、ネジ保持部を切断しなければ外カバーを取り外すことができないようにして、外カバーの取り外しの痕跡が残るように構成したものがある。
【０００３】
【特許文献１】特開平１１−０００４４４号公報
【発明の開示】
【発明が解決しようとする課題】
【０００４】
しかしながら、上記した切断可能なネジ保持部を設けた遊技機用制御装置は、外カバーと内カバーとを組み付ける際には、外カバーおよび内カバーの左右においてネジ保持部内のかしめネジをそれぞれ内カバーに螺着させなければならないため、組み付け作業が面倒である。また、上記の如き切断可能なネジ保持部を設けた遊技機用制御装置は、かしめネジのヘッドに電気ドリル等で孔をあけられると、それらの孔を利用してネジを回転させることが可能となってしまうため、ネジ保持部を切断することなく外カバーを取り外すことができてしまう。このため、近年では、制御素子の不正取り替え、不正改造を効果的に防止することができなくなっていた。
【０００５】
本発明の目的は、上記従来の遊技機用制御装置の問題点を解消し、外カバーと内カバーとを容易に組み付けることが可能であるとともに、制御素子の不正取り替え、不正改造を効果的に防止することが可能な遊技機用制御装置を提供することにある。
【課題を解決するための手段】
【０００６】
本発明の内、請求項１に記載された発明は、合成樹脂製の外カバーおよび内カバーによって、制御素子を設置した基板が覆われた遊技機用制御装置であって、外カバーあるいは内カバーのいずれか片方に、先端を鉤状に形成した係合体が切断可能に設けられているとともに、他方に、前記係合体を覆う被覆部が設けられており、その被覆部の内部に前記係合体と係合する被係合体が設けられていることを特徴とするものである。なお、本発明における切断可能とは、ニッパ等の工具を利用することによって多大な労力を要することなく切断できることを意味する。
【０００７】
請求項２に記載された発明は、請求項１に記載された発明において、係合体が、二個一対の棒状突起部の各先端に鉤状部を互いに外向きになるように設けた形状を有していることを特徴とするものである。
【０００８】
請求項３に記載された発明は、請求項２に記載された発明において、係合体が、各棒状突起部の基端同士に補強体を懸架した形状を有していることを特徴とするものである。
【０００９】
請求項４に記載された発明は、請求項１〜３のいずれかに記載された発明において、前記係合体が、前記被係合体に係合された状態を保ちながら、前記被覆部から露出させた基端の長さを所定量だけ変化させることができるようになっていることを特徴とするものである。
【発明の効果】
【００１０】
請求項１に記載された制御装置は、外カバーあるいは内カバーに設けられた係合体を工具を用いて切断しなければ外カバーと内カバーとを分離することができず、そのように外カバーと内カバーとを分離した場合には、必ず、その痕跡が残るので、外カバーと内カバーとを無理矢理に分離して、ＲＯＭ等の制御素子が不正に取り替えられる事態を効果的に防止することができる。加えて、電気ドリル等によりかしめネジを無理矢理に逆方向に回転させて外カバーと内カバーとを分離する不正行為をも効果的に防止することができる。それにも拘わらず、必要に応じて係合体を工具によって容易に切断して、外カバーと内カバーとを分離して内部の制御素子の状態をチェックすることができる。
【００１１】
請求項２に記載された制御装置は、係合体が二個一対の棒状突起部の各先端に鉤状部を互いに外向きになるように設けた形状を有しているため、係合体を被係合体にスムーズに係合させて外カバーと内カバーとを組み付けることができるとともに、係合体と被係合体との係合状態が強固に保持されるので、係合体を切断することなく外カバーと内カバーとを分離する不正行為を高い精度で防止することができる。
【００１２】
請求項３に記載された制御装置は、係合体が各棒状突起部の基端同士に補強体を懸架した形状を有しているため、工具を利用して二個一対の棒状突起部を互いに近づけて係合体の先端と被係合体との係合状態を解除することにより、係合体を切断することなく外カバーと内カバーとを分離する不正行為をきわめて高い精度で防止することができる。
【００１３】
請求項４に記載された制御装置は、係合体が所謂“遊び”を有した状態で被係合体に係合されているため、内部の制御素子の状態をチェックする場合には、被覆部の入口の外側に形成される隙間から容易に工具を挿入して係合体の基端部を切断することができる。
【発明を実施するための最良の形態】
【００１４】
以下、本発明の遊技機用制御装置（以下、単に制御装置という）について、図面に基づいて詳細に説明する。図１〜図３は、それぞれ、制御装置の正面図、右側面図、底面図であり、図４、図５は、制御装置の斜視図である。制御装置１は、ＲＯＭ５やＣＰＵ等の種々の制御素子を搭載した基板２、透明な合成樹脂（ポリカーボネート）製の外カバー３および内カバー４等によって構成されている。
【００１５】
図６、図７は、それぞれ、外カバー３の表面、裏面を示したものである。外カバー３は、縦長な長方形状の表面板６の周囲に上側板１３、下側板７、左側板１９、右側板２０を下向きに垂設した箱形に一体的に形成されている。そして、下側板７には、内カバー４と螺合させるためのネジ保持部８が、切断可能な２つの連結体３５，３５を介して外向きに突出するように一体的に設けられている。ネジ保持部８は、矩形状の支持板９の上側に略円筒状の保持体１０を設けたものであり、保持体１０の略中央には、ネジ挿通孔１１が穿設されている。そして、ネジ保持部８には、ワンウェイタイプのネジ１２が、ネジ挿通孔１１に挿通された状態で保持されている。
【００１６】
ワンウェイタイプのネジ１２は、ヘッドにネジ突起が突設されており、軸部の先端際にネジ溝が設けられている。また、ネジ突起は、ヘッドの外面に対して垂直な面と、ヘッドの外面に対して緩やかに傾斜した面とを有している。このため、ネジ突起の垂直面にマイナスのドライバを押し当てて右向きに回転させた場合には、ドライバとネジ突起の垂直面とが係合して回転するが、ドライバを左向きに回転させた場合には、ヘッド上でドライバとネジ突起とが係合せず回転しない。
【００１７】
また、外カバー３の上側板１３には、内カバー４と螺合させるための螺着体１４が外側に突出するように設けられている。螺着体１４は、舌片状の基板の周囲にリブを立設したものであり、略中央にネジ孔１５が穿設されている。加えて、外カバーの前面（表面）の左右には、細幅のスライドガイド１６，１６が外側に突出するように設けられている。
【００１８】
さらに、外カバー３の表面板６の上端縁際には、後述する内カバー４の係合体２８を覆うための被覆部１７が設けられている。被覆部１７は、表面板６を扁平な六角柱状に膨出させることによって形成されている。図８は、被覆部１７の設置部分を拡大して示したものであり、被覆部１７の内部の平行に対峙した左右の壁面には、それぞれ、内カバー４の係合体２８と係合させるための鉤状の被係合体１８，１８が互いに向かい合うように設けられている。各被係合体１８，１８は、被覆部１７の内壁面を三角柱状（前後方向を高さ方向とする三角柱状）に突出させたものである。そして、上側の面は、内壁面と直交した状態になっており、下側の面は、内壁面と鋭角を成した状態になっている。加えて、被覆部１７の上端縁は、表面板６の他の上端縁よりもわずかに下側に位置した状態（約２ｍｍ下側に位置した状態）になっている。
【００１９】
また、外カバー３の左側板１９、右側板２０の内側には、それぞれ、ネジ溝を刻設した円柱状のリブ２１，２１・・が、左側板１９および右側板２０と隣接するように形成されており、それらのリブ２１，２１・・を利用して、基板２が、制御素子の搭載面を外カバー３の表面板６の内側面に対峙させた状態で螺着されている。
【００２０】
一方、内カバー４は、縦長な長方形状の底板２２の周囲に上側板３３、下側板３４、左側板３２、右側板２７を上向きに垂設した箱形に一体的に形成されている。そして、下側板３４の右端（外カバー３を重ねた際にネジ保持部８と対応する位置）には、略四角柱状のネジ螺着部２３が一体的に突設されている（図４、図５参照）。ネジ螺着部２３は、切断容易な２つの第一連結体２４，２４によって、上側の面が内カバー４の下側板３４に連結された状態になっている。また、ネジ螺着部２３右端縁には、平板状の突出片２５が前方に突出するように設けられており、その突出片２５が、切断容易な第二連結体２６によって右側板２７に連結された状態になっている。
【００２１】
また、内カバー４の上側板３３の中央の前端際には、外カバー３と係合させるための係合体２８が内側へ突出するように一体的に形成されている。図９は、係合体２８の設置部分を拡大して示したものであり、係合体２８は、二個一対の棒状突起部２９，２９の各先端に、それぞれ、鉤状部３０，３０を互いに外向きになるように設けた形状を有している。そして、各棒状突起部２９，２９の基端同士に平板状の補強体３１が懸架された状態になっている。なお、各棒状突起部２９，２９は、細長い四角柱状に形成されている。一方、内カバー４の上側板３３の中央よりやや右側（外カバー３を重ねた際に螺着体１４と対応する位置）には、半円柱状（高さ方向を前後方向にした半円柱状）の被螺着体３６が設けられている。
【００２２】
上記の如く形成された外カバー３および内カバー４を組み付ける場合には、外カバー３を内カバー４より右側に位置させた状態で、外カバー３の左側板１９および右側板２０を、それぞれ、内カバー４の左側板３２および右側板２７の内側に嵌め込むようにして、外カバー３の左右のスライドガイド１６，１６を、それぞれ、内カバー４の左側板３２および右側板２７の前方に当接させる。そして、その状態で、外カバー３を内カバー４に重ね合わせるように上向きにスライドさせると、内カバー４の係合体２８が被覆部１７の内部に入り込み、係合体２８の鉤状部３０，３０が、それぞれ、被覆部１７の内部において被係合体１８，１８にスムーズに係合する。なお、係合体２８の鉤状部３０，３０と被係合体１８，１８とは、互いに逆向きの鉤状になっているので、一旦、係合体２８の鉤状部３０，３０と被係合体１８，１８とが係合すると、外カバー３を内カバー４に対して下向きにスライドさせることができなくなる。さらに、上記の如く、外カバー３と内カバー４とを重ね合わせた状態で、ワンウェイタイプのネジ１２によって、外カバー３の右下端のネジ保持部８を内カバー４の右下端のネジ螺着部２３に螺着する。そのように外カバー３と内カバー４とを組み付けた制御装置１においては、ＲＯＭ５やＣＰＵ等の種々の制御素子を搭載した基板２が、外カバー３の内側に螺着された状態で、外カバー３および内カバー４によって覆われた状態になっている。
【００２３】
上記の如く構成された制御装置１は、パチンコ機の裏面側の機構板等に設置された状態で使用される。そして、搭載されたＲＯＭ５やＣＰＵ等の種々の制御素子によって、パチンコ機の作動内容を制御する。
【００２４】
また、制御装置１は、内カバー４の係合体２８が外カバー３の被覆部１７の内部において被係合体１８，１８に係合した状態になっているとともに、外カバー３のネジ保持部８と内カバー４のネジ螺着部２３とが、ワンウェイタイプのネジ１２によって螺着されている。それゆえ、外カバー３と内カバー４とを分離する場合には、ニッパ等の工具で内カバー４の係合体２８の基端部（補強体３１よりも基端側）を切断して、当該係合体２８を内カバー４と切り離すとともに、外カバー３のネジ保持部８と螺着した内カバー４のネジ螺着部２３の第一連結体２４，２４および第二連結体２６を、ニッパ等の工具で切断し、当該ネジ螺着部２３を内カバー４から切り離すことによって、外カバー３と内カバー４とを分離しなければならない。なお、外カバー３の被覆部１７の上端縁は、表面板６の他の上端縁よりもわずかに下側に位置した状態になっているとともに、内カバー４の上側板３３から係合体２８の鉤状部の最も突出した部分までの長さの方が、外カバー３の表面板６の被覆部１７以外の上端縁から被係合体１８，１８の最も突出した部分までの長さより若干長く（約２ｍｍ長く）設計されており、係合体２８が所謂“遊び”を有した状態で被係合体１８，１８に係合されているため、内カバー４のネジ螺着部２３を切断した後には、外カバー３と内カバー４とが組み付けられている状態であっても、被覆部１７の上端縁と内カバー４の上側板３３との隙間から工具を挿入して係合体２８の基端部を切断することができる。
【００２５】
制御装置１は、上記の如く、先端を鉤状に形成した係合体２８が内カバー４に切断可能に設けられているとともに、外カバー３に、係合体２８を覆う被覆部１７が設けられており、その被覆部１７の内部に係合体２８と係合する被係合体１８，１８が設けられている。そして、外カバー３を内カバー４と分離するためには、外カバー３の被係合体１８，１８と係合した内カバー４の係合体２８を切断しなければならないため、外カバー３と内カバーとが分離された場合には、必ずその痕跡が残る。それゆえ、外カバー３と内カバー４との分離の有無を容易に把握することができる。それにも拘わらず、内カバー４の係合体２８が容易に切断可能な構造を有しているため、当該係合体２８をニッパ等の工具で切断することによって、外カバー３と内カバー４とを容易に分離して、基板２上に設置された制御素子の内容をチェックすることができる。なお、内カバー４の係合体２８、ネジ螺着部２３の第一連結体２４，２４および第二連結体２６を切断した後でも、外カバー３と内カバー４とを重なり合わせた状態で外カバー３の螺着体１４と内カバー４の被螺着体とを螺着させることによって、外カバー３と内カバー４とを閉じて使用することが可能である。
【００２６】
また、制御装置１は、係合体２８が二個一対の棒状突起部２９，２９の各先端に鉤状部３０，３０を互いに外向きになるように設けた形状を有しているため、棒状突起部２９，２９の弾性を利用して係合体２８を被係合体１８，１８にスムーズに係合させて外カバー３と内カバー４とを組み付けることができるとともに、係合体２８と被係合体１８，１８とを一旦係合させた後には、その係合状態が強固に保持されるので、係合体２８を切断することなく外カバー３と内カバー４とを分離する不正行為を高い精度で防止することができる。
【００２７】
加えて、制御装置１は、係合体２８が各棒状突起部２９，２９の基端同士に補強体３１を懸架した形状を有しているため、工具を利用して二個一対の棒状突起部２９，２９を互いに近づけて係合体２８の先端と被係合体１８，１８との係合状態を解除することにより、係合体２８を切断することなく外カバー３と内カバー４とを分離する不正行為をきわめて高い精度で防止することができる。
【００２８】
さらに、制御装置１は、係合体２８が、被係合体１８，１８に係合された状態を保ちながら、被覆部１７から露出させた基端の長さを所定量（約２ｍｍ）だけ変化させることができるようになっており、係合体２８が所謂“遊び”を有した状態で被係合体１８，１８に係合されているため、ＲＯＭ５等の制御素子の状態をチェックする場合には、被覆部１７の入口の外側に形成される隙間から容易に工具を挿入して係合体２８の基端部を切断することができる。
【００２９】
なお、本発明の制御装置は、上記実施形態の態様に何ら限定されるものではなく、外カバー、内カバー、基板、ワンウェイタイプのネジ等の形状、構造等の構成を本発明の趣旨を逸脱しない範囲内で適宜変更することができる。
【００３０】
たとえば、本発明の制御装置は、上記実施形態の如く、内カバーに係合体を設けるとともに外カバーに被係合体を設けたものに限定されず、外カバーに係合体を設けるとともに内カバーに被係合体を設けたものでも良い。
【００３１】
また、係合体の形状は、上記実施形態の如く、二個一対の棒状突起部の各先端に鉤状部を互いに外向きになるように設けた形状に限定されず、長尺な平板状の支持体から半球状の突起を突出させた形状等の異なる形状に変更することも可能である。さらに、上記実施形態の如く、二個一対の棒状突起部からなるものに限定されず、単一の棒状突起部からなるものや、三個以上の棒状突起部からなるものに変更することも可能である。加えて、棒状突起部の形状も、四角柱状に限定されず、円柱状等の異なる形状に変更することも可能である。また、係合体と係合する被係合体の形状も、係合体の形状に合わせて、半球状の窪み等の異なる形状に適宜変更することができる。加えて、係合体を被覆するための被覆部の形状も、上記実施形態の如く、扁平な六角柱状に限定されず、係合体の形状に合わせて、適宜変更することができる。
【００３２】
また、本発明の制御装置は、上記実施形態の如く、係合体および被係合体の他に、ネジ保持部およびネジ螺着部を内外のカバーに設けたものに限定されず、係合体および被係合体のみを内外のカバーに設けたものに変更することも可能である。さらに、二組以上の係合体および被係合体を内外のカバーに設けたり、係合体および被係合体の他に、切断可能な複数のネジ螺着部およびネジ保持部を内外のカバーに設けたりすることも可能である。加えて、係合体および被係合体の設置位置や、ネジ保持部およびネジ螺着部の設置位置も、必要に応じて適宜アレンジすることができる。
【００３３】
加えて、制御装置の内外カバーは、上記実施形態の如く、ポリカーボネートのみによって形成されたものに限定されず、ポリカーボネート以外の合成樹脂によって形成したものや、ポリカーボネートとその他の合成樹脂とからなる混合樹脂、あるいはポリカーボネート以外の２種以上の混合樹脂によって形成したもの等に変更することも可能である。
【００３４】
加えて、ネジ保持部を螺着するために用いるワンウェイタイプのネジは、上記実施形態の如く、先端が平坦なネジに限定されず、先端の尖った木ネジ等の他の形状を有するものでも良い。加えて、ヘッドに２個のネジ突起が設けられたものに限定されず、４個のネジ突起が設けられたプラスタイプのドライバで回転可能なもの等でも良い。
【００３５】
なお、上記実施形態においてはパチンコ機に使用される制御装置について説明したが、本発明の制御装置が使用される遊技機は、スロットマシーンやテレビゲーム等のパチンコ機以外の遊技機でも良い。
【図面の簡単な説明】
【００３６】
【図１】制御装置の正面図である。
【図２】制御装置の右側面図である。
【図３】制御装置の底面図である。
【図４】制御装置の表面側の斜視図である。
【図５】制御装置の表面側の斜視図である。
【図６】外カバーの表面側の斜視図である。
【図７】外カバーの裏面側の斜視図である。
【図８】外カバーの被覆部の設置部位を拡大して示す説明図である（ａは正面図であり、ｂはａにおけるＡ−Ａ線断面を示したものである）。
【図９】内カバーの係合体の設置部位を拡大して示す説明図である（ａは正面図であり、ｂはａにおけるＡ−Ａ線断面を示したものである）。
【符号の説明】
【００３７】
１・・制御装置
２・・基板
３・・外カバー
４・・内カバー
５・・制御素子（ＲＯＭ等）
１７・・被覆部
１８・・被係合体
２８・・係合体
２９・・棒状突起部
３０・・鉤状部
３１・・補強体
【図１】
2009201693.tif 000003
【図２】
2009201693.tif 000004
【図３】
2009201693.tif 000005
【図４】
2009201693.tif 000006
【図５】
2009201693.tif 000007
【図６】
2009201693.tif 000008
【図７】
2009201693.tif 000009
【図８】
2009201693.tif 000010
【図９】
2009201693.tif 000011